【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
絞りと、
前記絞りの物体側に配置された第１のアポダイゼーションフィルタと、
前記絞りの像面側に配置された第２のアポダイゼーションフィルタと、を有し、
前記第１のアポダイゼーションフィルタおよび前記第２のアポダイゼーションフィルタの両方に関し、光軸に直交する径方向における光軸からの距離をｒ１、ｒ２（ｒ１＜ｒ２）、該光軸から該距離ｒ１、ｒ２だけ離れた位置における透過率をＴ（ｒ１）、Ｔ（ｒ２）とするとき、
Ｔ（ｒ１）≧Ｔ（ｒ２）
なる関係を満たし、
最大画角のメリジオナル光束は、前記絞りを開放した状態で、前記第１のアポダイゼーションフィルタの光軸上の点および前記第２のアポダイゼーションフィルタの光軸上の点の少なくとも一方を含まない光路を通ることを特徴とする撮影光学系。
【請求項２】
前記透過率Ｔ（ｒ１）、Ｔ（ｒ２）の前記関係は、前記光軸を通る一断面において満たされていることを特徴とする請求項１に記載の撮影光学系。
【請求項３】
前記透過率Ｔ（ｒ１）、Ｔ（ｒ２）の前記関係は、前記光軸に関して対称な領域において満たされていることを特徴とする請求項１に記載の撮影光学系。
【請求項４】
前記第１のアポダイゼーションフィルタおよび前記第２のアポダイゼーションフィルタの少なくとも一方に関し、有効径内における最大透過率をＴ０、該有効径内における最小透過率をＴ１とするとき、
Ｔ１／Ｔ０≦０．５
を満たすことを特徴とする請求項１乃至３のいずれか１項に記載の撮影光学系。
【請求項５】
前記第１のアポダイゼーションフィルタと前記第２のアポダイゼーションフィルタとの間の光軸上の距離をｅ、前記撮影光学系のうち最も物体側のレンズ面の面頂点から近軸結像面までの距離をＬとするとき、
ｅ／Ｌ＞０．１
を満たすことを特徴とする請求項１乃至４のいずれか１項に記載の撮影光学系。
【請求項６】
前記絞りを開放した状態において、最軸外光束の上線と軸上光束の上線との交点を通る前記光軸の垂線が該光軸と交わる点をＨｂ、該最軸外光束の下線と該軸上光束の下線との交点を通る該光軸の垂線が該光軸と交わる点をＨｆ、前記第１のアポダイゼーションフィルタおよび前記第２のアポダイゼーションフィルタの一方と該絞りとの間の光軸上における距離をｄｊ（ｊ＝１、２）、該点Ｈｆ、Ｈｂのうち該光軸上において該第１のアポダイゼーションフィルタおよび該第２のアポダイゼーションフィルタの一方に近い点と該絞りとの間の該光軸上における距離をＤｊ（ｊ＝１、２）とするとき、
−０．２＜（ｄｊ−Ｄｊ）／Ｌ＜０．３
（ただし、ｊ＝１、２）
を満たすことを特徴とする請求項１乃至５のいずれか１項に記載の撮影光学系。
【請求項７】
無限遠にフォーカスした際において、前記撮影光学系の焦点距離をｆ（ｍｍ）、前記絞りの開放Ｆ値をＦｎｏとするとき、
１０≦ｆ／Ｆｎｏ≦７５
を満たすことを特徴とする請求項１乃至６のいずれか１項に記載の撮影光学系。
【請求項８】
前記撮影光学系の焦点距離をｆ（ｍｍ）とするとき、
１０≦ｆ≦１４０
を満たすことを特徴とする請求項１乃至７のいずれか１項に記載の撮影光学系。
【請求項９】
前記第１のアポダイゼーションフィルタおよび前記第２のアポダイゼーションフィルタの少なくとも一方に関し、同一位置で比較した場合における４３０ｎｍ以上かつ７００ｎｍ以下の波長域での透過率差は２０％以内であることを特徴とする請求項１乃至８のいずれか１項に記載の撮影光学系。
【請求項１０】
前記第１のアポダイゼーションフィルタおよび前記第２のアポダイゼーションフィルタの少なくとも一方に関し、有効径をｒｍａｘ、前記径方向における前記光軸からの距離をｒとするとき、
ｍｉｎ（０．９，ｍａｘ（０，−１．６ｒ＋１））≦Ｔ（ｒ／ｒｍａｘ）≦ｍｉｎ（１，−５ｒ＋５．５）
を満たすことを特徴とする請求項１乃至９のいずれか１項に記載の撮影光学系。
【請求項１１】
前記第１のアポダイゼーションフィルタおよび前記第２のアポダイゼーションフィルタの少なくとも一方に関し、有効径をｒｍａｘ、有効径内における最大透過率をＴ０、前記透過率がＴ０／√ｅとなる径をｒ０×ｒｍａｘとするとき、ｒ＜０．８×ｒｍａｘの範囲内において、
０．８×ｅｘｐ（−（１／２）×（ｒ／（０．８×ｒ０））２）≦Ｔ（ｒ／ｒｍａｘ）≦１．２×ｅｘｐ（−（１／２）×（ｒ／（１．２×ｒ０））２）
を満たすことを特徴とする請求項１乃至１０のいずれか１項に記載の撮影光学系。
【請求項１２】
前記絞りを開放した状態において、
前記第１のアポダイゼーションフィルタおよび前記第２のアポダイゼーションフィルタの一方において、最大画角光束の上線の透過率は下線の透過率よりも高く、
前記第１のアポダイゼーションフィルタおよび前記第２のアポダイゼーションフィルタの他方において、前記最大画角光束の前記下線の透過率は前記上線の透過率よりも高い、ことを特徴とする請求項１乃至１１のいずれか１項に記載の撮影光学系。
【請求項１３】
前記絞りを開放した状態において、
前記第１のアポダイゼーションフィルタおよび前記第２のアポダイゼーションフィルタの一方において、前記メリジオナル光束の上線の透過率は最大透過率、前記メリジオナル光束の下線の透過率は最小透過率であり、
前記第１のアポダイゼーションフィルタおよび前記第２のアポダイゼーションフィルタの他方において、前記メリジオナル光束の前記下線の透過率は最大透過率、前記メリジオナル光束の前記上線は最小透過率である、ことを特徴とする請求項１２に記載の撮影光学系。
【請求項１４】
前記絞りを開放した状態において、像高をｙ、最大像高をＹｍａｘとするとき、前記撮影光学系が前記第１のアポダイゼーションフィルタおよび前記第２のアポダイゼーションフィルタを含まないとした場合のｙ＝０．９Ｙｍａｘである像高ｙでの周辺光量比Ｒは、
Ｒ≦０．５
を満たすことを特徴とする請求項１乃至１３のいずれか１項に記載の撮影光学系。
【請求項１５】
前記絞りの前記物体側に配置されたレンズから成る前群と、
前記絞りの前記像面側に配置されたレンズから成る後群と、を更に有し、
前記第１のアポダイゼーションフィルタは、前記前群に設けられており、
前記第２のアポダイゼーションフィルタは、前記後群に設けられている、ことを特徴とする請求項１乃至１４のいずれか１項に記載の撮影光学系。
【請求項１６】
前記第１のアポダイゼーションフィルタおよび前記第２のアポダイゼーションフィルタの間に第３のアポダイゼーションフィルタを更に有することを特徴とする請求項１乃至１５のいずれか１項に記載の撮影光学系。
【請求項１７】
請求項１乃至１６のいずれか１項に記載の撮影光学系と、
前記撮影光学系を介して形成される光学像を光電変換する撮像素子と、を有することを特徴とする撮像装置。
【手続補正２】
【補正対象書類名】明細書
【補正対象項目名】０００８
【補正方法】変更
【補正の内容】
【０００８】
本発明の一側面としての撮影光学系は、絞りと、前記絞りの物体側に配置された第１のアポダイゼーションフィルタと、前記絞りの像面側に配置された第２のアポダイゼーションフィルタと、を有し、前記第１のアポダイゼーションフィルタおよび前記第２のアポダイゼーションフィルタの両方に関し、光軸に直交する径方向における光軸からの距離をｒ１、ｒ２（ｒ１＜ｒ２）、該光軸から該距離ｒ１、ｒ２だけ離れた位置における透過率をＴ（ｒ１）、Ｔ（ｒ２）とするとき、
Ｔ（ｒ１）≧Ｔ（ｒ２）
なる関係を満たし、前記絞りを開放した状態で、最大画角のメリジオナル光束が前記第１のアポダイゼーションフィルタの光軸上の点および前記第２のアポダイゼーションフィルタの光軸上の点の少なくとも一方を含まない光路を通ることを特徴とする。
【手続補正３】
【補正対象書類名】明細書
【補正対象項目名】０００９
【補正方法】変更
【補正の内容】
【０００９】
本発明の他の側面としての撮像装置は、前記撮影光学系と、前記撮影光学系を介して形成される光学像を光電変換する撮像素子とを有する。